【手続補正書】
【提出日】平成20年4月1日(2008.4.1)
【手続補正１】
【補正対象書類名】明細書
【補正対象項目名】特許請求の範囲
【補正方法】変更
【補正の内容】
【特許請求の範囲】
【請求項１】  
インク導入部に装着された時に、インク導入部よりインクを供給し得ることを示す識別手段を付帯させたインクカートリッジと、
前記インク導入部に装着された時に、インク導入部を閉塞してインクが供給し得ないことを示す識別手段を付帯させたインクカートリッジと、
を選択的に装着して利用し得る複数のインク導入部を具備したインクジェット式記録装置であって、
前記インク導入部に装着されたインクカートリッジまたは前記インク導入部に装着された時にインク導入部を閉塞してインクが供給し得ないことを示す識別手段を付帯させたインクカートリッジにそれぞれ付帯された前記識別手段からの各データを取得するデータ取得手段と、
前記データ取得手段によって取得した各データ解析し、印刷制御に関する情報を報知することができる報知手段と、
を備えたことを特徴とするインクジェット式記録装置。
【請求項２】  
インク導入部に装着された時に、インク導入部よりインクを供給し得ることを示す識別手段を付帯させたインクカートリッジと、
前記インク導入部に装着された時に、インク導入部を閉塞してインクを供給し得ないことを示す識別手段を付帯させたインクカートリッジと、
を選択的に装着して利用し得る複数のインク導入部を具備したインクジェット式記録装置であって、
前記インク導入部に装着されたインクカートリッジまたは前記インク導入部に装着された時にインク導入部を閉塞してインクが供給し得ないことを示す識別手段を付帯させたインクカートリッジにそれぞれ付帯された前記識別手段からの各データを取得するデータ取得手段と、
前記データ取得手段によって取得した各データ解析し、記録ヘッドのメンテナンス動作を変更することができるメンテナンス制御手段と、
を備えたことを特徴とするインクジェット式記録装置。
【請求項３】  
前記各インク導入部が、前記インクカートリッジまたは前記インク導入部に装着された時にインク導入部を閉塞してインクが供給し得ないことを示す識別手段を付帯させたインクカートリッジに気密状態に接合することができる中空状のインク導入針により構成された請求項１または請求項２に記載のインクジェット式記録装置。
【請求項４】  
前記データ取得手段は、前記インクカートリッジまたは前記インク導入部に装着された時にインク導入部を閉塞してインクが供給し得ないことを示す識別手段を付帯させたインクカートリッジがインク導入部に装着された状態において、
当該インクカートリッジまたは前記インク導入部に装着された時にインク導入部を閉塞してインクが供給し得ないことを示す識別手段を付帯させたインクカートリッジにそれぞれ付帯された記憶素子に格納されたデータを、電気的に読み出すことができる読み出し手段により構成された請求項１または請求項２に記載のインクジェット式記録装置。
【請求項５】  
前記報知手段は、印刷制御に関する情報を、表示手段にメッセージとして表示するように構成した請求項１に記載のインクジェット式記録装置。
【請求項６】  
前記表示手段は、記録装置に印刷指令を行うホストコンピュータに搭載されたプリンタドライバのユーティリティ上において駆動されるディスプレイである請求項５に記載のインクジェット式記録装置。
【請求項７】  
前記メンテナンス制御手段は、前記記録ヘッドのノズル形成面を封止し負圧発生手段からの負圧を受けて前記記録ヘッドよりインクを吸引排出させることができるキャッピング手段を含み、
前記データ取得手段によって取得した各データに基づいて、前記キャッピング手段に加える負圧が可変制御されるように構成した請求項２に記載のインクジェット式記録装置。
【請求項８】  
前記各インクカートリッジから供給される各インクをそれぞれ吐出する１つの記録ヘッドが具備され、
前記１つの記録ヘッドのノズル形成面を封止する１つのキャッピング手段が具備された記録装置であって、
少なくとも１つの前記インク導入部に装着された時にインク導入部を閉塞してインクが供給し得ないことを示す識別手段を付帯させたインクカートリッジが装着されたことを認識した場合においては、
前記キャッピング手段に加える負圧が軽減されるように制御される請求項７に記載のインクジェット式記録装置。
【請求項９】  
前記各インクカートリッジから供給される各インクを吐出する複数の記録ヘッドが具備され、
前記複数の記録ヘッドの各ノズル形成面をそれぞれ封止する複数のキャッピング手段が具備された記録装置であって、
少なくとも１つの前記インク導入部に装着された時にインク導入部を閉塞してインクが供給し得ないことを示す識別手段を付帯させたインクカートリッジが装着されたことを認識した場合においては、
前記キャッピング手段に対して選択的に負圧を加えるように制御される請求項７に記載のインクジェット式記録装置。
【請求項１０】  
前記メンテナンス制御手段は、記録ヘッドのノズルに対応して配置された各アクチュエータ対して、印刷とは関係のない駆動信号を供給してインク滴の空吐出を実行させるフラッシング制御手段を含み、
前記データ取得手段によって取得した各データに基づいて、前記記録ヘッドの各アクチュエータ対して、選択的に前記駆動信号を供給するように構成した請求項２に記載のインクジェット式記録装置。
【請求項１１】  
インク導入部に装着された時に、インク導入部よりインクを供給し得ることを示す識別手段を付帯させたインクカートリッジと、
前記インク導入部に装着された時に、インク導入部を閉塞してインクが供給し得ないことを示す識別手段を付帯させたインクカートリッジと、
を選択的に装着して利用し得る複数のインク導入部を具備したインクジェット式記録装置における印刷制御の報知方法であって、
前記インク導入部に装着されたインクカートリッジまたは前記インク導入部に装着された時にインク導入部を閉塞してインクが供給し得ないことを示す識別手段を付帯させたインクカートリッジにそれぞれ付帯された前記識別手段からの各データを取得するデータ取得ステップと、
前記データ取得ステップにおいて取得した各データを解析するデータ解析ステ
ップと、
前記データ解析ステップの実行により解析された前記各データの組み合わせ情
報に基づいて、印刷制御に関する情報を報知する情報報知ステップと、
を順次実行するようになされたインクジェット式記録装置における印刷制御の
報知方法。
【請求項１２】  
インク導入部に装着された時に、インク導入部よりインクを供給し得ることを示す識別手段を付帯させたインクカートリッジと、
前記インク導入部に装着された時に、インク導入部を閉塞してインクが供給し得ないことを示す識別手段を付帯させたインクカートリッジと、
を選択的に装着して利用し得る複数のインク導入部を具備したインクジェット式記録装置におけるメンテナンス制御方法であって、
前記インク導入部に装着されたインクカートリッジまたは前記インク導入部に装着された時にインク導入部を閉塞してインクが供給し得ないことを示す識別手段を付帯させたインクカートリッジにそれぞれ付帯された前記識別手段からの各データを取得するデータ取得ステップと、
前記データ取得ステップにおいて取得した各データを解析するデータ解析ステ
ップと、
前記データ解析ステップの実行により解析された前記各データの組み合わせ情
報に基づいて、記録ヘッドのメンテナンス動作を設定するメンテナンス動作設定
ステップと、
を順次実行するようになされたインクジェット式記録装置におけるメンテナン
ス制御方法。
【請求項１３】
インク導入部に装着された後、インク導入部よりインクを供給し得るインクカートリッジと、
前記インク導入部に装着された後、インクが供給し得ないインクカートリッジと、
を利用し得る複数のインク導入部を具備したインクジェット式記録装置であって、
前記インク導入部に装着されたインクカートリッジまたは前記インク導入部に装着された後にインクが供給し得ないインクカートリッジにそれぞれ接続された識別手段からの各データを取得するデータ取得手段と、
前記データ取得手段によって取得した各データ解析し、印刷制御に関する情報を報知することができる報知手段と、
を備えたことを特徴とするインクジェット式記録装置。
【請求項１４】 
インク導入部に装着された後に、インク導入部よりインクを供給し得るインクカートリッジと、
前記インク導入部に装着された後に、インクを供給し得ないインクカートリッジと、
を利用し得る複数のインク導入部を具備したインクジェット式記録装置であって、
前記インク導入部に装着されたインクカートリッジまたは前記インク導入部に装着された後にインクが供給し得インクカートリッジにそれぞれ接続された前記識別手段からの各データを取得するデータ取得手段と、
前記データ取得手段によって取得した各データ解析し、記録ヘッドのメンテナンス動作を変更することができるメンテナンス制御手段と、
を備えたことを特徴とするインクジェット式記録装置。
【手続補正２】
【補正対象書類名】明細書
【補正対象項目名】０００１
【補正方法】変更
【補正の内容】
【０００１】
【発明の属する技術分野】
この発明は、記録装置に装着された場合に、記録装置に対してインクを供給し
得ることを示す識別手段を付帯させたインクカートリッジと、同じく記録装置に
装着された場合に、記録装置のインク導入部を閉塞してインクが供給し得ないこ
とを示す識別手段を付帯させたインクカートリッジ（本願に係る明細書、特許請求の範囲、図面、図面の説明においては、ダミーカートリッジ、またはダミーのカートリッジ、または保守用カートリッジという。）とを選択的に利用し得るインクジェット式記録装置に関し、特にインクカートリッジとダミーカートリッジとを混在させて使用する場合における印刷制御に関する報知およびメンテナンス制御の管理技術に関する。